(57)【要約】【課題】  ユーザにとって安全性の高い食器洗浄機を提供する。【解決手段】  ドア７の側面７ａの背面側隅部を内側に折り曲げて、ストッパ部４０Ｌ,４０Ｒが形成されている。このストッパ部４０Ｌ,４０Ｒは、ドア７のスライド移動に伴って、上下方向に移動する。ラックレール３０を立ち上げると、ラックレール３０の上端は、ストッパ部４０Ｌ,４０Ｒの移動経路上に位置する。よって、ドア７の降下時にはストッパ部４０Ｌ,４０Ｒは、ラックレール３０の上端と当接する。これにより、ドア７が不意に降下することが防止される。【選択図】      図４
2006305119.tif 000002
【特許請求の範囲】
【請求項１】
洗浄室に収容された食器類を洗浄する食器洗浄機であって、
洗浄機本体の下側部分に配置され、上向きに開口した洗浄水タンクと、
前記洗浄機本体の上側部分で支持されると共に、上下方向にスライド自在で、前記洗浄水タンクに対してスライド移動することで洗浄室を開閉するドアと、
前記ドアの一部として形成され、前記ドアのスライド移動に伴って上下方向に移動するストッパ部と、
前記洗浄室内に回動自在に取り付けられ、立ち上げ状態と水平状態との間を回動するラックレールと、を備え、
前記立ち上げ状態の前記ラックレールの上端は、前記ストッパ部の移動経路上に位置して、前記ドアの降下時に前記ストッパ部と当接することを特徴とする食器洗浄機。
【請求項２】
前記ストッパ部は、前記ドアの側面の背面側隅部を内側に折り曲げて形成されたことを特徴とする請求項１に記載の食器洗浄機。
【発明の詳細な説明】
【技術分野】
【０００１】
本発明は、食器類を洗浄する食器洗浄機に係り、特に、ユーザの安全を考慮した食器洗浄機の構造に関する。
【背景技術】
【０００２】
従来技術に係る食器洗浄機の一例が、特許文献１に提示されている。特許文献１では、食器洗浄機の上側部分に、上下にスライド自在なドアが設けられており、このドアがスライド移動することにより洗浄室が開閉されるようになっている。ユーザは、このドアを上方にスライド移動して洗浄室を開けると、洗浄室の内部に設けられたラックレールの上に、食器類を収容したプラスチック製の食器ラックを載置する。そして、ユーザが、ドアを下方にスライド移動して洗浄室を閉めてから、コントロールパネルに設けられた洗浄開始ボタンを押下すると、洗浄室の内部に配置されたノズルから食器類に向けて水が噴射され、食器類の洗浄が行われる。
【特許文献１】特開平１０−２５８０１１号公報
【発明の開示】
【発明が解決しようとする課題】
【０００３】
ユーザは、必要に応じて、洗浄室内部の清掃やメンテナンスを行う。洗浄室内部の清掃やメンテナンスを行う際には、ユーザは、上半身や腕などの体の一部を洗浄室の内部に入れることがある。このような状況下において、例えば、周囲にいる他の作業者の不注意によりドアが閉められたり、地震の揺れによりドアが閉められる事態を想定すると、作業者の体の一部が、下方にスライド移動するドアによって挟まれてしまうこととなる。このため、ユーザのために安全性が十分に確保されていないことが懸念される。
【０００４】
本発明は、上述した課題を鑑みてなされたものであり、ユーザにとって安全性の高い食器洗浄機を提供することを目的とする。
【課題を解決するための手段】
【０００５】
上述した目的を達成するために、本発明は、洗浄室に収容された食器類を洗浄する食器洗浄機であって、洗浄機本体の下側部分に配置され、上向きに開口した洗浄水タンクと、洗浄機本体の上側部分で支持されると共に、上下方向にスライド自在で、洗浄水タンクに対してスライド移動することで洗浄室を開閉するドアと、ドアの一部として形成され、ドアのスライド移動に伴って上下方向に移動するストッパ部と、洗浄室内に回動自在に取り付けられ、立ち上げ状態と水平状態との間を回動するラックレールと、を備え、立ち上げ状態のラックレールの上端は、ストッパ部の移動経路上に位置して、ドアの降下時にストッパ部と当接することを特徴とする。
【０００６】
この構成によれば、ドアを上方にスライド移動して洗浄室を開けたときに、ラックレールを回動して立ち上げ状態にすると、ラックレールの上端はストッパ部の移動経路上に位置する。よって、ドアが下方にスライド移動しても、ドアのストッパ部はラックレールの上端に当接するため、ドアはそれ以上下方にスライド移動しない。これにより、ドアが不意に閉まることがないため、ユーザの体の一部がドアに挟まれることが防止され、ユーザにとって安全性の高い食器洗浄機を提供することができる。
【０００７】
また、上述した食器洗浄機において、ストッパ部は、ドアの側面の背面側隅部を内側に折り曲げて形成されたことが好ましい。この構成によれば、ドアの側面の一部を利用してストッパ部が形成されるため、ストッパ部を形成するために特別な部品を用意する必要がない。
【発明の効果】
【０００８】
本発明によれば、ユーザにとって安全性の高い食器洗浄機を提供することができる。
【発明を実施するための最良の形態】
【０００９】
以下、図面を参照しつつ本発明に係る食器洗浄機の好適な実施形態について詳細に説明する。
【００１０】
図１及び図２に示すように、食器洗浄機１は、ステンレス製の洗浄機本体２を有している。この洗浄機本体２は、洗浄室３が形成された上側部分２ａと、機械室４が形成された下側部分２ｂとに仕切られている。さらに、洗浄機本体２の背面側におけるコーナ部には、上側部分２ａと下側部分２ｂとに渡って上下方向に延びる支柱６が配置され、支柱６，６間には背面パネル５が延在している。
【００１１】
また、洗浄機本体２の上側部分２ａには、洗浄室３の開閉を行うための箱型のドア７が設けられている。このドア７は、左右一対のステンレス製支柱６よりも内側に配置された左右一対のガイドレール１１（図４参照）により上下方向に案内されると共に、前方において水平方向に延在するハンドル８によって上下動させることができる。このハンドル８の両端には左右一対の回動アーム１０，１０の先端が固定され、各回動アーム１０はドア７の側面７ａに沿って斜めに配置されている。そして、ハンドル８の回動運動に対してドア７を上下運動させる必要があるので、回動アーム１０には、ドア７の側面７ａに沿って配置されたリンク部１６の上端が回動自在に連結され、リンク部１６の下端は、軸ピン１６ａを介してドア７に連結されている。なお、洗浄機本体２の底面の四隅には脚部９が取り付けられており、食器洗浄機１の安定した設置が可能となっている。
【００１２】
上述した洗浄室３内には、跳ね上げ式のラックレール３０が着脱自在に配置されており、このラックレール３０上に、飲食後の食器類が並べられた格子状の食器ラック（図示せず）が載置される。更に、洗浄室３内の上部には、放射状に延びる３本のアームを有する回転自在な上側洗浄ノズル１２と、一直線状に延びる２本のアームを有する回転自在な上側濯ぎノズル１３とが同心的に配置されている。同様に、洗浄室３内の下部には、回転自在な下側洗浄ノズル１４と下側濯ぎノズル１５とが同心的に配置されている。
【００１３】
このような構成を有する洗浄室３の底部には、機械室４内に突出するように洗浄水タンク１７が形成されており、洗浄室３と洗浄水タンク１７との間には、残菜フィルタ１８が着脱自在に配置されている。この洗浄水タンク１７の前面には、洗浄水タンク１７内に吸込口及び吐出口が位置するような洗浄水供給ポンプ（以下「洗浄ポンプ」という）１９が直付けされており、部品点数の減少化と省スペース化とが達成されている。この洗浄ポンプ１９の吐出口には洗浄水流通管２１が接続され、この洗浄水流通管２１は、洗浄水タンク１７内及び洗浄室３内を通って、上側洗浄ノズル１２と下側洗浄ノズル１４とに接続されている。
【００１４】
更に、機械室４内には、外部の給湯器（図示せず）から濯ぎ水が供給される濯ぎ水タンク２２が収容されており、この濯ぎ水タンク２２には、吸込管２３を介して濯ぎ水供給ポンプ（以下「濯ぎポンプ」という）２４が接続されている。この濯ぎポンプ２４は、縦置き状態で設置されており、機械室４内のスペースの有効利用が図られている。この濯ぎポンプ２４の吐出口には吐出管２６が接続され、この吐出管２６の端部２６ａは洗浄水タンク１７内に延在している。そして、吐出管２６の端部２６ａには濯ぎ水流通管２７が接続され、この濯ぎ水流通管２７は、洗浄水タンク１７内及び洗浄室３内を通って、上側濯ぎノズル１３と下側濯ぎノズル１５とに接続されている。なお、機械室４内には、食器洗浄機１の動作全般を制御するマイクロコンピュータ等が内蔵された電装ボックス（図示せず）等も収容されている。
【００１５】
次に、図３を参照して、上述したラックレール３０の構造について説明する。図３では、ドア７が上方にスライド移動されて洗浄室４が開放されており、その洗浄室４の内部には、ラックレール３０が水平に配置されている。ラックレール３０は、鋼板を折り曲げて形成された断面三角形状の枠部材３１に、棒状の第一〜第三の梁部材３２〜３４を溶接して構成されている。水平状態に置かれた枠部材３１は、洗浄機本体２ｂの前面に沿って延設された前側枠部３１ａと、洗浄機本体２ｂの左側面に沿って延設された左側枠部３１ｂと、洗浄機本体２ｂの右側面に沿って延設された右側枠部３１ｃと、によってコ字状に形成されている。
【００１６】
第一の梁部材３２は、その一端が枠部材３１の左側枠部３１ｂの後端部に溶接され、第一の梁部材３２の他端は、枠部材３１の右側枠部３１ｃの後端部に溶接されている。また、第二の梁部材３３は、その一端が枠部材３１の前側枠部３１ａの中央部に溶接され、第二の梁部材３３の他端は、枠部材３１の右側枠部３１ｃの中央部に溶接されている。
【００１７】
また、第三の梁部材３４は、その一端が枠部材３１の左側枠部３１ｂの中央部に溶接され、第三の梁部材３４の他端は、第一の梁部材３２の中央部に溶接されている。上述したラックレール３０において、食器ラックは、第一〜第三の梁部材３２〜３４の上に載置される。また、第一〜第三の梁部材３２〜３４の上に食器ラックが載置された際には、食器ラックの横方向への移動は、枠部材３１により規制される。
【００１８】
さらに、第一の梁部材３２の左端部及び右端部には、Ｌ字状に形成された一対の回動軸部材３５Ｌ,３５Ｒが取り付けられている。すなわち、第一の梁部材３２の左端部に取り付けられた回動軸部材３５Ｌは、その基端が第一の梁部材３２の左端部に溶接されており、その左端部から後方に少し延びてから外側に屈曲する。そして、回動軸部材３５Ｌの先端は、洗浄機本体２の左側面まで延び出る。また、同様に、第一の梁部材３２の右端部に取り付けられた回動軸部材３５Ｒは、その基端が第一の梁部材３２の右端部に結合されており、その右端部から後方に少し延びてから外側に屈曲する。そして、回動軸部材３５Ｒの先端は、洗浄機本体２ｂの右側面まで延びている。更に、洗浄機本体２の左右側面には、上向きに開放された凹形状の軸受穴部３６Ｌ,３６Ｒ（図２参照）が形成されており、左右の回動軸部材３５Ｌ,３５Ｒの先端は、当該一対の軸受穴部３６Ｌ,３６Ｒに挿入されることで軸支されている。このようにして、ラックレール３０は、回動軸部材３５Ｌ,３５Ｒを中心として回動自在に構成されている。
【００１９】
ラックレール３０は、作業者により持ち上げられると、洗浄機背面側の回動軸部材３５Ｌ,３５Ｒを中心に回動して、図４に示されるような立ち上げ状態となる。なお、図４では、説明の便宜のため、食器洗浄機１の下側部分２ｂを省略して示している。ラックレール３０は、立ち上げ状態では、ガイドレール１１に立て掛けられて背面側に傾けられた姿勢となっている。このようにラックレール３０が背面側に傾けられた姿勢となったときには、枠部材３１の前側枠部３１ａが上端に位置する。
【００２０】
一方、ドア側面７ａの背面側隅部は、支柱６から逃げるように洗浄機本体２の内側に向けて折り曲げられている。そして、この折り曲げられたドア側面７ａの下端４０Ｌ，４０Ｒで樋４１が設けられた部分が、ドア７の不意の閉鎖を防止するストッパ部４０Ｌ,４０Ｒとなっている。後に詳述するように、ドア７が降下すると、ストッパ部４０Ｌ,４０Ｒがラックレール３０の前側枠部３１ａに当接して、ドア７が不意に閉まろうとするのが防止される。
【００２１】
ドア７とラックレール３０の配置関係について、図５を参照してより詳細に説明する。図５には、図４においてドア７を水平面で切断し、当該切断面を上方から見た様子が示されている。既述したとおり、ドア７の側面の背面側隅部が内側に折り曲げられることにより、ストッパ部４０Ｌ,４０Ｒが形成されている。ストッパ部４０Ｌ,４０Ｒは、ドア７と一緒に上下動するため、図５において紙面に対して垂直な方向がストッパ部４０Ｌ,４０Ｒの移動経路となる。
【００２２】
一方、ラックレール３０の前側枠部３１ａの左端部は、ドア７左側のストッパ部４０Ｌを超えて外側まで延出している。また、前側枠部３１ａの右端部は、ドア７右側のストッパ部４０Ｒを超えて外側まで延出している。すなわち、ラックレール３０の前側枠部３１ａは、左右のストッパ部４０Ｌ,４０Ｒの直下にあり、左右のストッパ部４０Ｌ,４０Ｒの移動経路上に位置している。
【００２３】
上述した食器洗浄機１の構造によれば、ドア７を上方にスライド移動して洗浄室４を開けたときに、ラックレール３０を回動して立ち上げ状態にすると、ラックレール３０の上端はストッパ部４０Ｌ，４０Ｒの移動経路上に位置する。よって、ドア７が下方にスライド移動しても、ドア７のストッパ部４０Ｌ，４０Ｒはラックレール３０の上端に当接するため、ドア７はそれ以上下方にスライド移動しない。左側のストッパ部４０Ｌがラックレール３０に当接する様子を、図６に示す。図６では、ドア側面７ａの下端を折り曲げて形成されたストッパ部４０Ｌが、ラックレール３０の左側上端に当接している。このようにドア７のストッパ部４０Ｌ，４０Ｒがラックレール３０に当接するようにしたことにより、ドア７が不意に閉まることがないため、ユーザの体の一部がドア７に挟まれることが防止され、ユーザにとって安全性の高い食器洗浄機１を提供することができる。また、メンテナンス時にはラックレールを立ち上げる操作が必要になるが、ラックレールをストッパとして利用していることにより、ラックレールを立ち上げる操作がそのままストッパを用意する操作になるので、メンテナンス時にストッパを用意し忘れることがないし、作業工数も変わらない。
【００２４】
上述したように、本実施形態では、ドア７の側面の背面側隅部を内側に折り曲げることでストッパ部４０Ｌ,４０Ｒを形成した。このようにドア７の側面の一部を利用してストッパ部４０Ｌ，４０Ｒを形成することは、ストッパ部４０Ｌ，４０Ｒを形成するために特別な部品を用意する必要がない点で好ましい。但し、他の実施形態では、ドア７に別部材を取り付けることでストッパ部を形成してもよい。
【図面の簡単な説明】
【００２５】
【図１】本発明の実施形態に係る食器洗浄機の外観を示す斜視図である。
【図２】食器洗浄機の内部構造を示す断面図である。
【図３】食器洗浄機において、ドアを上方に移動した状態を示す斜視図である。
【図４】ラックレールが立ち上げられた状態を示す斜視図である。
【図５】ドアとラックレールの位置関係を示す断面図である。
【図６】ドアのストッパ部とラックレールが当接する様子を示す拡大斜視図である。
【符号の説明】
【００２６】
１…食器洗浄機、２…洗浄機本体、３…洗浄室、４…機械室、５…背面パネル、６…支柱、６ａ…支柱前面、７…ドア、７ａ…ドア側面、８…ハンドル、９…脚部、１０…回動アーム、３０…ラックレール、３１…枠部材、３１ａ…前側枠部、３１ｂ…左側枠部、３１ｃ…右側枠部、３２…第一の梁部材、３３…第二の梁部材、３４…第三の梁部材、３５Ｌ,３５Ｒ…回動軸部材、４０Ｌ,４０Ｒ…ストッパ部。
【図１】
2006305119.tif 000003
【図２】
2006305119.tif 000004
【図３】
2006305119.tif 000005
【図４】
2006305119.tif 000006
【図５】
2006305119.tif 000007
【図６】
2006305119.tif 000008